(57)【要約】【課題】コンセントへの差し込みと引き抜きを容易にする。【解決手段】ハウジング１、２に回転可能に取り付けた雄型接触片７を、前方に突出する真直ぐ位置から、一方の側方に突出する折り曲げ位置と、他方の側方に突出する折り曲げ位置とに変更可能にし、ハウジング１、２のいずれか一方の側方の外面に支点凸部９を設けた。雄型接触片は、真直ぐ位置にしても、支点凸部と反対側に回転した折り曲げ位置にしても、コンセントに差し込み可能にした。雄型接触片を、真直ぐ位置にしてコンセントに差し込んでも、支点凸部と反対側の折り曲げ位置にしてコンセントに差し込んでも、ハウジングを支点凸部側に回転すると、支点凸部がコンセントに当って梃子の支点になり、雄型接触片がコンセントの雌型接触片に挟まれる面積が減少する又は雄型接触片がコンセントの雌型接触片から抜け出る構成にした。【選択図】  図１
2004259595.tif 000002
【特許請求の範囲】
【請求項１】
ハウジングに雄型接触片の基端を回転可能に取り付けて、雄型接触片を、ハウジングの前方に突出する真直ぐ位置から、ハウジングの一方の側方に突出する折り曲げ位置と、他方の側方に突出する折り曲げ位置とに変更可能にし、ハウジングのいずれか一方の側方の外面に、引き抜き時に梃子の支点になる支点凸部を設け、
可動式の雄型接触片を、真直ぐ位置にしても、真直ぐ位置から支点凸部と反対側に回転した支点凸部と反対側の折り曲げ位置にしても、雌型接触片を内蔵したコンセントに差し込み可能にし、
雄型接触片を、真直ぐ位置にしてコンセントに差し込んでも、支点凸部と反対側の折り曲げ位置にしてコンセントに差し込んでも、ハウジングを支点凸部側に回転すると、支点凸部がコンセントに当って、雄型接触片がコンセントの雌型接触片に挟まれる面積が減少して又は雄型接触片がコンセントの雌型接触片から抜け出て、雄型接触片が引き抜き易くなる構成にしたことを特徴とする雄雌嵌合式接続器。
【請求項２】
ハウジングに、差込プラグを差し込む差込孔を貫通し、ハウジングの内側に、差込プラグの雄型接触片を挟む雌型接触片を設け、この雌型接触片を可動式の雄型接触片とハウジング内で電気的に接続したことを特徴とする請求項１に記載の雄雌嵌合式接続器。
【請求項３】
上記のハウジングとは別に第２ハウジングを設け、第２ハウジングに、差込プラグを差し込む差込孔を貫通し、第２ハウジングの内側に、差込プラグの雄型接触片を挟む雌型接触片を設け、この雌型接触片を可動式の雄型接触片とコードで電気的に接続したことを特徴とする請求項１に記載の雄雌嵌合式接続器。
【発明の詳細な説明】
【０００１】
【発明の属する技術分野】
本発明は、雄雌嵌合式接続器において、差し込みと引き抜きを容易にする技術に関する。
【０００２】
【従来の技術】
差込プラグは、ハウジングの前側に１対の雄型接触片を突出し、ハウジング内に、１対の雄型接触片に接続する１対のビスを設け、１対のビスにコードの１対の電線を接続し、コードをハウジングの後側に引き出している。
【０００３】
接触片可動式の差込プラグは、ハウジングの前部に雄型接触片の基端を回転可能に取り付けて、可動式の雄型接触片を、ハウジングの前方に突出する真直ぐ位置から、ハウジングの側方に突出する折り曲げ位置に変更可能にしている。この差込プラグは、雄型接触片が真直ぐ位置でも、真直ぐ位置から９０度回転した折り曲げ位置でも、雌型接触片を内蔵したコンセントに差し込むことができる。コンセントの周囲の空間状況に応じて、雄型接触片の真直ぐ位置と折り曲げ位置とを使い分けることができる。コンセントへの差し込みが容易である。
【０００４】
特許文献１に開示の差込プラグは、コンセントから引き抜き易くするため、ハウジングの前部に雄型接触片の基端を回転可能に取り付け、ハウジング前部の両側の表面にそれぞれ突起部を設けている。この差込プラグは、雄型接触片を、ハウジングの前方に突出する真直ぐ位置にして、コンセントに差し込む。コンセントから引き抜くときには、ハウジングの後部をいずれか一方の側方に押してハウジングを倒す。すると、ハウジングの倒れた側の突起部がコンセントの表面に当って梃子の支点になり、雄型接触片がコンセントから簡単に抜ける、とのことである。
【０００５】
特許文献２に開示の差込プラグは、コンセントから引き抜き易くするため、ハウジングの前部に雄型接触片の基端を回転可能に取り付け、ハウジングの前部に押し出し部を前方に突出して設けている。この差込プラグは、雄型接触片を、ハウジングの側方に突出する折り曲げ位置にして、コンセントに差し込む。コンセントから引き抜くときには、ハウジングの後部を持ち上げてハウジングを起こす。すると、ハウジングの押し出し部がコンセントの表面に当って梃子の支点になり、雄型接触片がコンセントから簡単に抜ける、とのことである。
【０００６】
【特許文献１】
登録実用新案第３０１０１４１号公報
【特許文献２】
特開２００２−１２４３４２号公報
【０００７】
【発明が解決しようとする課題】
ところが、接触片可動式の差込プラグは、コンセントの周囲の空間状況に応じて雄型接触片の真直ぐ位置と折り曲げ位置とを使い分けることができ、コンセントへの差し込みが容易であるが、引き抜きが容易であるとは言い難い。
【０００８】
特許文献１に開示の差込プラグは、引き抜き時に梃子の支点になる突起部をハウジングの両側に設けているので、雄型接触片を、ハウジングの一方又は他方の側方に突出する折り曲げ位置にして、コンセントに差し込もうとすると、雄型接触片が突出した側の突起部がコンセントの表面に当って邪魔になり、雄型接触片は、コンセントに内蔵された雌型接触片に差し込まれない。雄型接触片が折り曲げ位置にあると、コンセントに差し込むことができない。この差込プラグは、雄型接触片がハウジングの前方に突出する真直ぐ位置にあるときしか、コンセントに差し込むことができない。差し込みが容易であるとは言い難い。
【０００９】
特許文献２に開示の差込プラグは、引き抜き時に梃子の支点になる押し出し部をハウジングの前方に突出しているので、雄型接触片を、ハウジングの前方に突出する真直ぐ位置にして、コンセントに差し込もうとすると、押し出し部がコンセントの表面に当って邪魔になり、雄型接触片は、コンセントに内蔵された雌型接触片に差し込まれない。雄型接触片が真直ぐ位置にあると、コンセントに差し込むことができない。この差込プラグは、雄型接触片がハウジングの一方又は他方の側方に突出する折り曲げ位置にあるときしか、コンセントに差し込むことができない。差し込みが容易であるとは言い難い。
【００１０】
従って、これらの差込プラグは、差し込みと引き抜きの両方が容易であるとは言い難い。
【００１１】
また、これらの差込プラグは、ハウジング内のビスにコードの電線を接続する構成にしているので、既存の電気器具に使用するときには、その電気器具のコードに接続した既存の差込プラグを取り外し、そのコードに新しい差込プラグを接続することになる。電気器具の差込プラグを取り換える手間が掛る。
【００１２】
【課題を解決するための手段】
１）ハウジングに雄型接触片の基端を回転可能に取り付けて、雄型接触片を、ハウジングの前方に突出する真直ぐ位置から、ハウジングの一方の側方に突出する折り曲げ位置と、他方の側方に突出する折り曲げ位置とに変更可能にし、ハウジングのいずれか一方の側方の外面に、引き抜き時に梃子の支点になる支点凸部を設け、
可動式の雄型接触片を、真直ぐ位置にしても、真直ぐ位置から支点凸部と反対側に回転した支点凸部と反対側の折り曲げ位置にしても、雌型接触片を内蔵したコンセントに差し込み可能にし、
雄型接触片を、真直ぐ位置にしてコンセントに差し込んでも、支点凸部と反対側の折り曲げ位置にしてコンセントに差し込んでも、ハウジングを支点凸部側に回転すると、支点凸部がコンセントに当って、雄型接触片がコンセントの雌型接触片に挟まれる面積が減少して又は雄型接触片がコンセントの雌型接触片から抜け出て、雄型接触片が引き抜き易くなる構成にしたことを特徴とする雄雌嵌合式接続器。
【００１３】
２）上記の雄雌嵌合式接続器において、
ハウジングに、差込プラグを差し込む差込孔を貫通し、ハウジングの内側に、差込プラグの雄型接触片を挟む雌型接触片を設け、この雌型接触片を可動式の雄型接触片とハウジング内で電気的に接続したことを特徴とする。
【００１４】
３）上記１）の雄雌嵌合式接続器において、
上記のハウジングとは別に第２ハウジングを設け、第２ハウジングに、差込プラグを差し込む差込孔を貫通し、第２ハウジングの内側に、差込プラグの雄型接触片を挟む雌型接触片を設け、この雌型接触片を可動式の雄型接触片とコードで電気的に接続したことを特徴とする。
【００１５】
【発明の効果】
本発明の雄雌嵌合式接続器は、可動式の雄型接触片を、真直ぐ位置にしても、真直ぐ位置から支点凸部と反対側に回転した折り曲げ位置にしても、雌型接触片を内蔵したコンセントに差し込むことができる。コンセントの周囲の空間状況に応じて、雄型接触片の真直ぐ位置と折り曲げ位置とを使い分けることができる。コンセントへの差し込みが容易である。
【００１６】
その上、可動式の雄型接触片を、真直ぐ位置にしてコンセントに差し込んでも、支点凸部と反対側の折り曲げ位置にしてコンセントに差し込んでも、ハウジングを支点凸部側に回転すると、支点凸部がコンセントに当って、雄型接触片がコンセントの雌型接触片に挟まれる面積が減少して又は雄型接触片がコンセントの雌型接触片から抜け出て、雄型接触片が引き抜き易くなる。引き抜きが容易である。
【００１７】
従って、差し込みと引き抜きの両方が容易である。
【００１８】
また、本発明の雄雌嵌合式接続器は、差込プラグを差し込む差込孔と、差込プラグの雄型接触片を挟む雌型接触片を設けた場合、既存の電気器具に使用するときには、電気器具側の差込プラグを差込孔に差し込み、電源側のコンセントに可動式の雄型接触片を差し込む。電気器具側の差込プラグを取り換える手間が掛らない。実用的である。
【００１９】
【発明の実施の形態】
［第１例（図１〜図７参照）］
本例の雄雌嵌合式接続器は、図１に示すように、１対の可動式の雄型接触片７と１対の雌型接触片１１を備えている。家庭用の単相低圧電源、交流１００Ｖの電源側のコンセントと家庭用の電気器具、例えばテレビ受像機側の差込プラグとの間に使用する。
【００２０】
この接続器は、図１〜図３に示すように、殻構造の下側ハウジング１と上側ハウジング２とをネジ３で結合して、前側中央部を凹部にした箱を構成し、その凹部に可動体４を嵌め込んで、ほぼ直方体形状にしている。下側ハウジング１と上側ハウジング２及び可動体４は、電気絶縁性合成樹脂の成形品である。
【００２１】
下側ハウジング１は、下側壁の中央部上に１対の取付溝５を設け、左右の両取付溝５に、それぞれ、金属板の導電部材６の中央部を嵌合して固定し、左右の両導電部材６を前後方向に沿って設けている。
【００２２】
可動体４は、左右の側面の嵌め込み溝に、それぞれ、帯状金属板の雄型接触片７の取付用基端を嵌め込み、左右の両雄型接触片７の接触用刃部分を前方に突出している。左右の各雄型接触片７の取付用基端と左右の各導電部材６の前端は、それぞれ、重ねて電気的に接続し、枢軸８を左右方向に貫通して回転可能に連結している。可動体４とその左右の両雄型接触片７は、枢軸８の回りに上側に９０度、下側に９０度の範囲で回転可能である。
【００２３】
可動体４は、前面が前後方向と直交する平面であり、後面が枢軸８を中心軸とする半円筒面である。可動体４の左右に位置するハウジング１、２前部の右側部と左側部の前面は、枢軸８を中心軸とする半円筒面である。可動体４の前面には、１対の雄型接触片７の刃部分が左右に並列して前方に突出している。
【００２４】
１対の可動式の雄型接触片７は、取付用基端がハウジング１、２の前部に回転可能に取り付けられ、ハウジング１、２の前方に突出する真直ぐ位置から、ハウジング１、２の下側に突出する折り曲げ位置と、ハウジング１、２の上側に突出する折り曲げ位置とに変更可能である。
【００２５】
上側ハウジング２は、上側壁の前部の上面、外面に、引き抜き時に梃子の支点になる１対の支点凸部９を、可動体４の左側と右側位置に設けている。なお、支点凸部９は、上側ハウジング２の上側壁の上面にのみ設け、上側ハウジング２の前面や下側ハウジング１には設けていない。
【００２６】
導電部材６の後端は、左右からそれぞれ接触片１１を立ち上げている。左右の両接触片１１は、近接して並列し、かつ、左右方向と直交して配置し、雌型接触片の刃受け部分にしている。この雌型接触片１１の刃受け部分は、差込プラグの雄型接触片が挟み込まれる部分であり、ハウジング１、２の後側壁と対面する側が入口になり、入口側に２枚の案内片１２を外開き状に突出している。左右の両案内片１２、左右の両接触片１１と導電部材６は、一連に連結した金属板である。雌型接触片１１と可動式の雄型接触片７は、電気的に接続している。ハウジング１、２の後部内には、１対の雌型接触片１１が左右に並列して設けられている。
【００２７】
ハウジング１、２の後側壁には、１対の縦長長方形断面の差込孔１３を、１対の雌型接触片１１と対面する左右位置に、それぞれ、前後方向に沿って貫通している。１対の差込孔１３にハウジング１、２の後方位置から差込プラグの一対の雄型接触片を差し込むと、差込プラグの各雄型接触片の先端側が各雌型接触片１１に挟み込まれる。
【００２８】
本例の接続器を使用する場合、先ず、ハウジング１、２の後側面に開口する１対の差込孔１３に、図示しない家庭用電気器具のコード先端に接続した差込プラグの１対の雄型接触片を差し込む。すると、雌型接触片１１に差込プラグの雄型接触片が挟み込まれて電気的に接続される。
【００２９】
次に、ハウジング１、２の前側に突出する１対の可動式の雄型接触片７は、図４に示すように、ハウジング１、２の前方に突出する真直ぐ位置にし、家屋の壁に埋設した単相低圧電源の壁コンセントに開口する１対の差込孔２１に差し込む。すると、可動体４の前面は、壁コンセントの表面に当って重なり、１対の可動式の雄型接触片７は、それぞれ、壁コンセントに内蔵された１対の雌型接触片２２に挟み込まれ、雌型接触片２２と所定の面積ないし力で接触する。接続器は、雄型接触片７と雌型接触片１１が単相低圧電源に接続される。家庭用電気器具の差込プラグは、本例の接続器を介して単相低圧電源に接続される。
【００３０】
又は、可動式の雄型接触片７は、前方に突出する真直ぐ位置にせずに、真直ぐ位置から下側に９０度回転して、ハウジング１、２の下側、支点凸部９と反対側に突出する折り曲げ位置にし、図５に示すように、壁コンセントに開口する差込孔２１に差し込む。すると、真直ぐ位置のときと同様に、可動体４の前面は、壁コンセントの表面に当って重なり、可動式の雄型接触片７は、壁コンセントの雌型接触片２２と所定の面積ないし力で接触する。家庭用電気器具の差込プラグは、本例の接続器を介して単相低圧電源に接続される。
【００３１】
本例の接続器は、可動式の雄型接触片７を、真直ぐ位置にしても、真直ぐ位置から支点凸部９と反対側に回転した下側の折り曲げ位置にしても、壁コンセント２１、２２に差し込むことができる。
【００３２】
本例の接続器を壁コンセントから引き抜くときは、ハウジング１、２と雄型接触片７が図４に示す真直ぐ位置であっても、図５に示す折り曲げ位置であっても、ハウジング１、２の後端を片手の指で持ち上げ、ハウジング１、２を枢軸８の回りに支点凸部９側の上側に回転する。
【００３３】
すると、図６に示すように、支点凸部９が壁コンセント２１、２２の表面に当る。その後、支点凸部９が梃子の支点になり、図７に示すように、雄型接触片７が壁コンセント２１、２２から引き出され、雄型接触片７が壁コンセントの雌型接触片２２に挟まれる面積が減少して又は雄型接触片７が雌型接触片２２から抜け出て、雄型接触片７が引き抜き易くなる。本例の接続器は、片手で摘んで簡単に引き抜かれる。
【００３４】
本例の接続器は、可動式の雄型接触片７を、真直ぐ位置にして壁コンセント２１、２２に差し込んでも、真直ぐ位置から支点凸部９と反対側に回転した下側の折り曲げ位置にして壁コンセント２１、２２に差し込んでも、壁コンセント２１、２２から簡単に引き抜くことができる。
【００３５】
本例の接続器を、家屋の壁に固定した壁コンセントに差し込む場合について説明したが、タップとか、延長コードとか呼ばれる持ち運び可能な接続器具のコンセント部に差し込む場合についても、同様である。
【００３６】
［第２例（図８参照）］
本例の雄雌嵌合式接続器は、図８に示すように、差込プラグ部３１とコンセント部３２をコード３３で接続している。いわゆる延長コードである。家庭用の単相電源側のコンセントと家庭用の電気器具、例えば電熱器側の差込プラグとの間に使用する。
【００３７】
差込プラグ部３１は、第１例の接続器の前半部におけるのと同様に、第１ハウジング３４の前部に可動体４と１対の雄型接触片７を設けている。また、第１例の接続器の前半部におけるのと同様に、第１ハウジング３４の片側の外面に、引き抜き時に梃子の支点になる１対の支点凸部９を設けている。１対の可動式の雄型接触片７は、それぞれ、コード３３の１対の電線に接続している。
【００３８】
コンセント部３２は、第１例の接続器の後半部におけるのと同様に、第２ハウジング３５の後側壁に１対の差込孔１３を貫通し、第２ハウジング３５の後部に１対の雌型接触片１１を内蔵している。１対の雌型接触片１１は、それぞれ、コード３３の１対の電線に接続している。
【００３９】
本例の接続器は、第１例の接続器の前半部と後半部を差込プラグ部３１とコンセント部３２として分離し、それらをコード３３で接続したものに相当する。本例の接続器を使用する場合は、第１例の接続器におけるのと同様である。差込プラグ部３１は、第１例の接続器におけるのと同様に、壁コンセントやその他の接続器具のコンセント部に差し込み易く、また、引き抜き易い。
【００４０】
［第３例］
本例の雄雌嵌合式接続器は、第２例における差込プラグ部３１とコード３３からなる。コード３３は、一端を差込プラグ部３１に接続している。コード３３の他端には、第２例におけるコンセント部３２を接続せずに、家庭用電気器具を接続する。
【図面の簡単な説明】
【図１】本発明の実施形態の第１例における雄雌嵌合式接続器の一部破断斜視図。
【図２】同接続器の上側ハウジングを取り外して可動体を横断した状態の平面図。
【図３】図１のＡ−Ａ線断面図。
【図４】同接続器の雄型接触片を真直ぐ位置にしてコンセントに差し込んだ状態の図で、図３と同じ断面図。
【図５】同接続器の雄型接触片を下側の折り曲げ位置にしてコンセントに差し込んだ状態の図で、図３と同じ断面図。
【図６】同接続器を引き抜き時に回転する途中の状態の図で、図３と同じ断面図。
【図７】同接続器を引き抜き時に回転した状態の図で、図３と同じ断面図。
【図８】実施形態の第２例における雄雌嵌合式接続器の中間省略斜視図。
【符号の説明】
１  下側ハウジング
２  上側ハウジング
３  ネジ
４  可動体
５  取付溝
６  導電部材
７  可動式の雄型接触片
８  枢軸
９  支点凸部
１１  接触片、雌型接触片
１２  案内片
１３  差込孔
２１  壁コンセントの差込孔
２２  壁コンセントの雌型接触片
３１  差込プラグ部
３２  コンセント部
３３  コード
３４  差込プラグ部の第１ハウジング
３５  コンセント部の第２ハウジング
【図１】
2004259595.tif 000003
【図２】
2004259595.tif 000004
【図３】
2004259595.tif 000005
【図４】
2004259595.tif 000006
【図５】
2004259595.tif 000007
【図６】
2004259595.tif 000008
【図７】
2004259595.tif 000009
【図８】
2004259595.tif 000010